(57)【要約】      （修正有）【課題】  女性の生理時及び婦人科検査時等の経血等収容・排泄の状態時に、先端部位の孔が子宮口に嵌まる寸胴な筒状体を子宮口部に装着、留置し、経血等を該筒状体内を経て膣外後端部位に連結された風船内に溜めて、該風船を筒状体から脱着して経血等の廃棄できる一体成型の生理時経血収容排泄カテーテルを提供する。【解決手段】  先端部位の孔直径が４０ｍｍ前後、厚みが０．１ｍｍから２ｍｍ程度、先端部位外周に膣壁に密着できるバルーンを設け、膣内挿入部の長さは７０ｍｍから９０ｍｍ前後、膣外部位は２０ｍｍ程とした寸胴な筒状体を形成する。先端部位の孔の外面は子宮口に嵌まる形状として密着させ、気密及び液密状態を保持し、バルーンは膨脹させて一端を固定でき、後端部位に連結している経血等を収容排泄できる風船により筒状体から脱着することで廃棄できるようにする。【選択図】図１
2005305094.tif 000002
【特許請求の範囲】
【請求項１】
子宮口部に装着するため、全体が寸胴な筒状体の先端部位に孔を設けその外周には一端を固定できるバルーンを備え、膣外部位には嵌合連結部を有し気密及び液密状態を保持でき、経血等を収容排泄できる風船とバルーンを膨脹させるチューブ弁を備え一体成型した生理時経血収容排泄カテーテル。
【請求項２】
先端部位の孔の直径が４０ｍｍ前後で、その厚みが０．１ｍｍから２ｍｍ程度で、先端部位周辺の外周には膣壁に密着できるバルーンを設け、膣内挿入部の長さは７０ｍｍから９０ｍｍ前後とし、膣外部位は２０ｍｍ程の筒状体を形成し、その後端部位には嵌合連結部を有し経血を収容・排泄でき、着脱できる風船を備え一体成型した請求項１に記載の生理時経血収容排泄カテーテル。
【請求項３】
先端部位の孔は、子宮口部に装着する一体成型した外面が子宮口に嵌まる形状に形成され、この密着により気密及び液密状態を保持したことを特徴とする請求項１と請求項２に記載の生理時経血収容排泄カテーテル。
【請求項４】
長時間の使用においても悪臭の抑制、漏れへの不安をなくし、手や衣服の汚れ等なく、快適且つ衛生的な請求項１と請求項２と請求項３に記載の生理時経血収容排泄カテーテル。
【請求項５】
使用方法としては、極めて簡単で特別な機器を使用せず指先を使い膣内挿入でき生理時及び婦人科検査時等の経血等収容・排泄の状態時に留置し、膣外部位の後端部位の風船内に溜まった経血等の処理を目的とし、筒状体から脱着することで廃棄できる請求項１から請求項４に記載の生理時経血収容排泄カテーテル。
【発明の詳細な説明】
【技術分野】
【０００１】  本発明は、子宮口部に装着し子宮から排出される経血等の生理時及び婦人科検査時等の経血等収容・排泄の状態時に留置するもので、全体が寸胴な筒状体の先端部位の孔の先端部位周辺の外周に膣壁に密着可能なバルーンを設け、膣外部位の筒状体の後端部位に嵌合連結部位を有し、着脱できる風船を備え、長時間の使用においても悪臭の抑制、漏れへの不安をなくし、手や衣服の汚れ等なく、快適且つ衛生的な生理時経血収容排泄カテーテルに関する。
【背景技術】
【０００２】  従来のタンポンは、経血等子宮からの排泄を妨げず、消臭や脱臭等の制臭を目的として、タンポン本体に消臭剤や脱臭剤を含有させたタンポンが知られている。従来のタンポンを使用後に廃棄する場合には、取り出し用のひもを引っ張って膣腔内のタンポンを取り出して廃棄していた。このため、経血を吸収・保持したタンポンが手や衣服に触れると、汚れてしまう場合があり、不衛生であった。【０００３】  タンポン本体に消臭剤や脱臭剤を含有させたタンポンの消臭剤や脱臭剤は一般に粉粒体であることが多いことから、膣腔内に挿入されているタンポンから斯かる消臭剤や脱臭剤が脱落して、これらの剤が膣腔内に残留するおそれがあった。【０００４】  女性の保護装置に関しては、業界では２つの基本的な型式が提供されており、生理用ナプキンが外陰部付近に外的に着用するために開発されているのに対し、タンポンは月経流をさえぎるために腟腔内に内的に着用するために開発されている。生理用ナプキンとタンポンの構造的特徴を１つの装置に溶け込ませようとするハイブリッド装置も提案されている。その他のあまり侵入的ではないハイブリッド装置が、陰唇または陰唇間生理用ナプキンとして知られている。
【発明の開示】
【発明が解決しようとする課題】
【０００５】  本発明は、子宮口部に装着するため、全体が寸胴な筒状体の先端部位に孔を設けその外周には一端を固定できるバルーンを備え、膣外部位には嵌合連結部を有し気密及び液密状態を保持でき、経血等を収容排泄できる風船とバルーンを膨脹させるチューブ弁を備え、先端部位の孔は、子宮口部に装着する一体成型した外面が子宮口に嵌まる形状に形成され、この密着により気密及び液密状態を保持し、長時間の使用においても生理時の臭いを抑制し、悪臭の抑制、漏れへの不安をなくし、手や衣服の汚れ等なく、快適且つ衛生的で、使用方法も極めて簡単で特別な機器を使用せず指先を使い膣内挿入でき、生理時及び婦人科検査時等の経血等収容・排泄の状態時に留置し、膣外部位の後端部位の風船内に溜まった経血等の処理を目的とし、筒状体から脱着することで廃棄でき一体成型した生理時経血収容排泄カテーテルを提供することにある。
【課題を解決するための手段】
【０００６】  上述の目的を達成するため、本発明の生理時経血収容排泄カテーテルは、先端部位の孔の直径が４０ｍｍ前後で、その厚みが０．１ｍｍから２ｍｍ程度で、先端部位周辺の外周には膣壁に密着できるバルーンを設け、膣内挿入部の長さは７０ｍｍから９０ｍｍ前後とし、膣外部位は２０ｍｍ程の筒状体を形成し、その後端部位には嵌合連結部を有し経血を収容・排泄でき、着脱できる風船を備え生理時及び婦人科検査時等の経血等収容・排泄の状態時に留置し、膣外部位の後端部位の風船内に溜まった経血等の処理を目的とし、筒状体から脱着することで廃棄できるようになっている。【０００７】  本発明の生理時経血収容排泄カテーテルは、使用方法も極めて簡単で特別な機器を使用せず指先を使い膣内挿入でき、子宮口部に装着する一体成型した外面が子宮口に嵌まる形状に形成され、この密着により気密及び液密状態を保持し、長時間の使用においても生理時の臭いを抑制し、悪臭の抑制、漏れへの不安をなくし手や衣服の汚れ等なく、快適且つ衛生的である。【０００８】  着脱に際しては、使用者自身の手で行え、経血等の子宮からの排泄が直接子宮口より筒状体内を通過し後端部位に連結している風船内で受け取り溜まった経血等の処理は着脱により廃棄でき、何の煩わしさもないようにしたものである。
【発明の効果】
【０００９】  本発明によれば、女性の保護装置として、子宮口部に装着するため全体が寸胴な筒状体の先端部位の孔が子宮口に嵌まる形状に形成され、その外周に備えたバルーンは膣外部位のチューブ弁を介して膨脹させることにより一端を固定でき、生理時経血及び婦人科検査時等の処置が後端部位に連結している風船内に溜まった経血等の処理は着脱により廃棄でき、何の煩わしさもないようになる。【００１０】  本発明によれば、使用方法として医師及び使用者自身の手で行え、生理時及び婦人科検査時等の経血等収容・排泄の状態時に留置し、経血等の子宮からの排泄が直接子宮口より筒状体内を通過し、着脱に際して極めて簡単で特別な機器を使用せず指先を使い膣内挿入でき、長時間の使用においても悪臭の抑制、漏れへの不安がなくなり、手や衣服の汚れ等なく、快適且つ衛生的な従来得られなかった利便性が向上するものである。
【発明の実施するための最良の形態】
以下に、本発明の実施の形態を図１にて説明する。
【００１１】  図１は、本発明の生理時経血収容排泄カテーテルの全体の構成図である。すなわち、生理時及び婦人科検査時等の経血等収容・排泄の状態時に留置し、経血等の子宮からの排泄が直接子宮口より筒状体１内を通過し、収容排泄できるようにするため全体が寸胴な筒状体１の先端部位に孔３を設けその外周には一端を固定できるバルーン２を備え、膣外部位には嵌合連結部７を有し気密及び液密状態を保持でき、経血等を収容排泄できる風船６とバルーン２を膨脹させるチューブ弁４よりチューブ５を介してバルーン２を膨脹させ膣壁の一端に固定し、風船６にて集まった経血等の処理を着脱により廃棄でき、長時間の使用においても悪臭の抑制、漏れへの不安がなくなり、手や衣服の汚れ等なく、快適且つ衛生的に使用できる。
【００１２】  図２は、図１と違って膣外部位には嵌合連結部７を必要とせず、溶着により一体型になっていて使用の都度取り外さなければならないがコストは大幅にダウンでき、使用者によっては生理時の１度だけの交換で済むため長時間の使用において手間が省けるうえ経費が削減できるという効果がある。
【実施例】
【００１３】  生理時経血収容排泄カテーテルは、全体が寸胴な筒状体で先端部位の孔が子宮口に嵌まる形状に形成されていて、先端部位を膣内に挿入しチューブ弁よりチューブを介してバルーンをかるく指先を使いゆっくり押し込み子宮口を逃がさないようにしながら、子宮口を覆うことができる。【００１４】  上記により子宮口を覆い、先端部位周辺の外周の膣壁に密着できるバルーンを更に膨脹させ一端が固定でき、子宮内に取り込まれることはなく装着部位は安定する。【００１５】  使用方法として、医師及び使用者自身の手で行え、生理時及び婦人科検査時等の経血等収容・排泄の状態時に留置し、経血等の子宮からの排泄が直接子宮口より筒状体内を通過し、膣外部位の嵌合連結部を経て経血を収容・排泄できる風船内に集められ、嵌合連結部より風船の脱着により廃棄できる。【００１６】  取り外しは極めて簡単で特別な機器を使用せず指先を使い膣内挿入でき、長時間の使用においても悪臭の抑制、漏れへの不安がなくなり、手や衣服の汚れ等なく、快適且つ衛生的な従来得られなかった利便性が向上するものである。【００１７】  先端部位の孔の直径が４０ｍｍ前後で、その厚みが０．１ｍｍから２ｍｍ程度で、膣内挿入部の長さは７０ｍｍから９０ｍｍ前後とし、膣外部位は２０ｍｍ程の筒状体を形成し、その後端部位には嵌合連結部を有し、着脱できる風船を備え一体成型している。【００１８】  寸胴な筒状体１及びバルーン２に用いる材料としては、シリコーンゴム、フッ素等や、シリコーン、ポリウレタン等のゴム弾性のあるエラストマー等が適していて、それらは単独でも複合でもよいがチューブ弁と嵌合連結部４附近に用いる材料としては、部分的にプラスチック材使用になる。【００１９】  図２においては、膣外部位には嵌合連結部７を必要とせず、溶着により一体型になっていて使用の都度取り外さなければならないがコストは大幅にダウンでき、使用者によっては生理時の１度だけの交換で済むため長時間の使用において手間が省けるうえ経費が削減できるという効果がある。
【図面の簡単な説明】
【００２０】
【図１】は本発明の全体の構成図及び使用想定図である。
【図２】は本発明の溶着による一体型の全体の構成図である。
【符号の説明】
１  寸胴な筒状体
２  バルーン
３  先端部位の孔
４  チューブ弁
５  チューブ
６  経血等を収容排泄できる風船
７  嵌合連結部
８  溶着
【図１】
2005305094.tif 000003
【図２】
2005305094.tif 000004